(57)【要約】【課題】横断幕型の幕の両端に縫製作業などで装着部を形成する必要がなく、かつ、幕の張設が円滑に行える両軸回転式幕張装置を提供する。【解決手段】所要の間隔で設置された少なくとも２本の軸を有し、それらの軸に幕の両端部をそれぞれ取り付けて幕を張設するための装置について、２本の軸をともに回転軸１５とし、両回転軸１５、１５を、回転方向の切り替えが可能なラチェット機構１８によって正逆方向へ選択的に回転可能に形成し、両回転軸に幕１１の両端部１３ａ、１３ｂをそれぞれ巻き付け、かつ、巻き付け方向へ回転させることによって幕を張設し、上記の幕に設けられている表示１４を展張させる。【選択図】          図１
2011053347.tif 000002
【特許請求の範囲】
【請求項１】
所要の間隔で設置された少なくとも２本の軸を有し、それらの軸に幕の両端部をそれぞれ取り付けて幕を張設するための装置であって、
２本の軸をともに回転軸とし、両回転軸を、回転方向の切り替えが可能なラチェット機構によって、正逆方向へ選択的に回転可能に形成し、両回転軸に幕の両端部をそれぞれ巻き付け、かつ、巻き付け方向へ回転させることによって幕を張設し、上記の幕に設けられている表示を展張させることを特徴とする両軸回転式幕張装置。
【請求項２】
２本の回転軸の表面には、幕止め手段として幕と接触して摩擦抵抗を生じさせる粗面が設けられている請求項１記載の両軸回転式幕張装置。
【請求項３】
幕は２本の回転軸の設置間隔よりも長く形成されており、幕の長さ方向に設けられている複数の表示部を両回転軸の回転によって移動変化させ得るように構成されている請求項１記載の両軸回転式幕張装置。
【請求項４】
回転方向の切り替えが可能なラチェット機構によって、正逆方向へ選択的に回転可能に形成した回転軸を、その基部にて取り付け部材にあらかじめ取り付けた構成とし、上記取り付け部材の部分で、建造物の構造体への設置を行う構成を有する請求項１記載の両軸回転式幕張装置。
【発明の詳細な説明】
【技術分野】
【０００１】
本発明は、所要の間隔で設置された２本の軸に幕の両端部をそれぞれ取り付けて幕を張設するための装置であって、特に店舗などに広告、宣伝等の目的で設置するのに適した両軸回転式幕張装置に関するものである。
【背景技術】
【０００２】
例えば、コンビニエンスストアの店舗などでは、軒先の天井などに横断幕型のシートを設置し、新商品の取り扱い開始や、キャンペーン実施期間中であることなどを、利用者に知らせ、購買意欲を高めることが行われている。屋外の広告手段には幟（ノボリ）型のものも多いが、それが動的で、ときに乱雑な印象を与えるのに対して、横断幕型のシートは静的、かつ、スマートであり、風に揺れないため見やすいという利点を備えている。
【０００３】
しかし、横断幕型のシートを設けるには、あらかじめ天井などにフレームを設置しなければならないから設備の費用が掛かり、また、シートをフレームにビス止めして取り付けるので、脚立等の台を使用して何回か移動させながら作業する必要がある。さらに、屋外のフレームには埃が溜まるなど汚れ易いため、定期的に清掃も心掛けねばならず、手間が掛かるものであった。
【０００４】
これに対して、特開平１１−１７５００５号では店頭において商品の広告、宣伝等を行う表示装置として、固定式ブラケットと回転式ブラケットから成る取り付け手段を備え、固定式ブラケットにはシート幕の一端を装着するための装着部材があり、装着部材には上下位置にフックを設けて、シート幕の装着を容易化する発明を開示している。しかし、同発明では固定式ブラケットにシート幕の一端を差し込んで装着するため、シート幕の両端に袋状の装着部を形成する必要があり、縫製作業を必要とすることからコスト高となる。また、シート幕の長さも一定のため一回分の宣伝広告しか表示することができず、表示を変えるにはシート幕を交換しなければならないものであった。
【０００５】
【特許文献１】特開平１１−１７５００５号
【発明の開示】
【発明が解決しようとする課題】
【０００６】
本発明は前記の点に着目してなされたもので、その課題は、横断幕型の幕の両端に縫製作業などで装着部を形成する必要がなく、かつ、幕の張設が円滑に行える両軸回転式幕張装置を提供することである。また、本発明の他の課題は、２本の回転軸に張設された状態において幕を長さ方向に移動して任意の表示部を展張可能とすることである。
【課題を解決するための手段】
【０００７】
前記の課題を解決するため、本発明は、所要の間隔で設置された２本の軸を有し、それらの軸に幕の両端部をそれぞれ取り付けて幕を張設するための装置について、
２本の軸をともに回転軸とし、両回転軸を、回転方向の切り替えが可能なラチェット機構によって、正逆方向へ選択的に回転可能に形成し、両回転軸に幕の両端部をそれぞれ巻き付け、かつ、巻き付け方向へ回転させることによって幕を張設し、上記の幕に設けられている表示を展張させるという手段を講じたものである。
【０００８】
本発明の装置は、２本の軸を用いて幕を張設する点において、前記発明と共通するが、２本の軸をともに回転軸とすることとし、その回転によって幕を緊張状態に張設することを特徴とするものである。このため本発明では、２本の回転軸を、回転方向の切り替えが可能なラチェット機構によって、正逆方向へ選択的に回転可能に形成している。従って、回転軸の回転方向を選択することで、幕を緊張させて展張状態にすることも、逆に緩めて弛んだ状態にすることも自由である。
【０００９】
本発明において使用する、上記回転方向の切り替えが可能なラチェット機構そのものは公知であり、例えば実用新案登録第３０８９０６２号にラチェットレンチとして記載されているラチェット機構と同様の構成を使用することができる（図３参照）。すなわち、ラチェット機構は外周に対称な山谷から成る歯を有するラチェット歯輪、その中心軸を通る線から外れた箇所にて上記歯の谷に噛み合う二又のラッチ、そのどちらかのラッチを歯との噛み合い方向へ付勢するばねを有する位置決め部材及び位置決め部材の操作レバーによって構成することができる。
【００１０】
幕は、上記両回転軸に幕の両端部をそれぞれ巻き付け、かつ、巻き付け方向へ回転させることによって張設し、上記の幕に設けられている表示を展張させることができる。すなわち、回転軸に幕の端部をそれぞれ巻き付け、さらに、巻き付け方向へ回転させることによって、幕を緊張させるように張り方を強めることができ、これを２本の回転軸において操作することができるのである。特に、幕には部分的なたるみやしわのできることがあるが、２本とも回転軸であるので一方を回転させてたるみやしわが解消しないときには他方を回転させて修正することができるので、幕をたるみやしわのない平面に張設し易いという利点もある。従って、従来の回転軸が１本しかないものと比較して操作性が著しく改善される。
【００１１】
上記２本の回転軸の表面には、幕の両端部と接触して摩擦抵抗を生じさせる粗面を設けることが望ましい。何故なら、幕を回転軸に巻き付けて取り付けるので、幕の端部に袋状などの縫製加工を必要としないとしても、幕を止める手段を何も用いなければ緩みやすいものであるが、粗面の摩擦抵抗を幕止め手段とすることによってこの問題を解決できるからである。そこで、本発明では、幕と接触して摩擦抵抗を生じさせる手段として、粗面を設けることを推奨するものである。この粗面としては、例えば、１２番〜４００番程度の目の粗いサンドペーパーの類を使用することができ、それを回転軸に接着して取り付けるのが良い。他には、軟弾性を有する摩擦係数の高い表面を持つ樹脂も適しているが、摩擦抵抗に限るわけではなく、例えば、回転軸を鉄系金属によって形成し、これに所望の形態の磁石を用いて磁気吸着させること、或いは粘着テープ類を用いて幕の端部を止めることも可能である。
【００１２】
幕は２本の軸の設置間隔よりも長く形成されており、幕の長さ方向に設けられている複数の表示部を両回転軸の回転によって移動変化させ得るように構成すると、複数の内の任意の表示部を選択して２本の回転軸間に配置することができる。この表示部は、例えば、商品の図やキャンペーンの内容、その他あらゆる文字、記号、図柄などを内容とするが、複数の内の一つの表示を選択して２本の回転軸間に配置し、しかも、日によって別の表示に移動変化させることも可能であり、このような使い方を可能にすることで非常に高い利便性が得られるものである。
【００１３】
上記の表示部又はその表示は、業界においては、単にメディアなどとも呼ばれることもある広告、宣伝等を内容とするものである。そしてその複数の表示部の内の第１の表示部を一定期間使用するとき、その期間中の例えばセールを行う特別な日だけ第２、或いは第３の表示部に移動変化させて使用する、という使用方法も可能になる。
【発明の効果】
【００１４】
本発明は以上のように構成されかつ作用するものであるから、横断幕型の幕の両端に縫製作業などで装着部を形成する必要がなく、幕の両端部を両回転軸にそれぞれ巻き付け、かつ、巻き付け方向へ回転させることによって幕の張設が円滑に行える両軸回転式幕張装置を提供することができるという効果を奏する。また、本発明によれば、２本の回転軸の設置間隔よりも長く形成した幕を２本の回転軸に張設するとともに、そこに設けられている複数の表示部を長さ方向に移動して、その内の任意の表示部を展張し幕の表示とすることができるので、表示部を変える操作が容易であり、効果的な広告、宣伝を行うことができる。
【発明を実施するための最良の形態】
【００１５】
以下、図示の実施形態を参照して本発明をより詳細に説明する。図１は、本発明に係る両軸回転式幕張装置１０の例１を示しており、図示のものはコンビニエンスストアの入口などに設置する横断幕型のものである（図５参照）。従って、例示の装置１０では、店舗入り口などの天井部分に、吊り下げ式に設置される。
【００１６】
各図中１１は幕であり、この幕１１は長さ方向に設けられている複数の表示部１２−１〜１２−ｎを備えており、１個の表示部は２本の回転軸間隔と同一か、或いは２本の回転軸間隔に丁度おさまる複数の区画から成っている。幕１１は左右方向に引っ張って張設するため、両端部には巻き付け部分１３ａ、１３ｂを設ける。幕１１の両端はシート状の幕部材を断ち切っただけで良く、巻き付け部分１３ａ、１３ｂとして標準的な巻き付け長さを示すマーク程度を設けても良いが、袋状など特別の縫製加工は必要としない。
【００１７】
なお、上記複数の表示部１２−１〜１２−ｎの内の１個の表示部１２−１は、図１Ｂに示すように表面に催しの名称である「○○キャンペーン」、その内容がくじ式であることを示す「○○茶×ホット○○で当てよう！」及び「商品の写真」から成る表示１４を有している。図１Ｃは幕１１の裏面を示しており、無表示であるが裏面も表示部に利用できることは自明のことである。
【００１８】
１５、１５は所要の間隔で設置された２本の回転軸であり、それぞれの上端側に取り付け基部１６において上記の天井部分に、吊り下げ式に設置されている。回転軸部分の一例は図２及び図３に詳細に図示されている通りであり、回転軸１５の内部には基部部分に固定されている固定軸１７があり、回転軸１５は回転方向の切り替えが可能なラチェット機構１８のラチェット歯輪１９に設けられている。固定軸１７は回転軸１５の振れ止めのために補強する構造として設けられている。また、本装置１０を天井側ではなく天井裏側にて取り付けることも可能である。天井裏にて本装置１０を設置構造体２０に取り付けることは、取り付け基部１６の基盤１６ａを締結する固定ボルト１６ｂなどを外部に露出させたくない場合に行われる。
【００１９】
図示のラチェット機構１８はケーシングに組み込まれており、外周に対称な山谷から成る歯を有する上記ラチェット歯輪１９、その中心軸を通る線から外れた箇所にて上記歯の谷に噛み合う二又のラッチ２１ａ、２１ｂを有する揺動部材２１、そのどちらかのラッチ２１ａ、２１ｂを歯との噛み合い方向へ付勢するばね２２を有する位置決め部材２３及び位置決め部材の操作レバー２４を有している。揺動部材２１は二又のラッチ２１ａ、２１ｂの間の中央内側に設定されている中心軸２１ｃにてケーシングに回転可能に軸支され、かつ、中心軸状遠位の外側に設けられている切り替え突起２１ｄを有している。すなわちラチェット歯輪１９の歯は対象形状であるが、二又のラッチ２１ａ、２１ｂをラチェット歯輪１９及びラッチ２１の中心を通る中心軸を外れた位置で、ラチェット歯輪１９の歯と噛み合わせることで一方向回転と回転方向の切り替えを可能にしている。
【００２０】
さて、回転軸１５はその上端部にて上記のラチェット機構１８に一体に取り付けられており、その外表面には幕の両端部（巻き付け部分１３ａ、１３ｂ）と接触して摩擦抵抗を生じさせる粗面２５が設けられている。例示の粗面２５は、１８０番のサンドペーパーを回転軸１５の外表面に接着して形成されており、上記巻き付け部分１３ａ、１３ｂはこの粗面２５を少なくとも２〜３巻きする程度の長さに設定する。２６は操作ノブであり、回転軸１５の下端にその回転操作のために取り付けられている。
【００２１】
図４は、本装置１０を建造物に取り付け部材２７を含んで構成する例２を示すもので、例２の取り付け部材２７は一定の横断面形状を有するいわゆる型材から成り、その長手方向に沿ってほぼＴ字型の横断面形状を有するチャネル部２８が数条設けられていて、部材表面にはその一部が開口している。チャネル部２８にはめねじ部２９ａを有する止め板２９が挿入可能であり、前記取り付け基部１６の基盤１６ａに開けられたボルト孔１６ｂにボルト２９ｂを差し込み、チャネル部開口を通して止め板２９の雌ねじ部に螺合させ、同じ操作を全てのボルト孔１６ｂについて実施し回転軸１５の取り付けを行う構成である。
【００２２】
図４の構成によれば、取り付け部材２７を利用してあらかじめ２個の回転軸１５を取り付けて置くことができるので、所要の間隔で設置された２本の回転軸１５、１５を有し、それらの回転軸１５、１５に幕１１の両端部（巻き付け部分１３ａ、１３ｂ）をそれぞれ取り付けて幕を張設する両軸回転式幕張装置１０を、店舗の軒先の天井などへの取り付け前に、あらかじめ完成した形で提供することができる。板状の取り付け部材２７の長さは任意に選択可能であり、かつボルト２９ｂを緩めて基盤１６ａごと移動させることによって、２本の回転軸１５、１５の設置間隔を変更することができる。
【００２３】
幕１１の取り付けと取り外し、交換等について説明を補足すると、まず、取り付けには幕１１の一方の端部の巻き付け部分１３ａを一方の回転軸１５に粗面２５を利用して最初はややきつく巻き付け、さらに２〜３周巻き付けておき、次いで、他方の端部の巻き付け部分１３ｂを他方の回転軸１５に粗面２５を利用して同様に巻き付けていく。この状態では幕１１がやや弛み気味であるので、幕１１を中央方向へ引っ張っても回転しないように一方の側のラチェット機構１８を切り換え、その後、幕１１が引っ張る方向へ他方の側の回転軸１５を回転させて行く。この作業の最後において、他方の回転軸１５はラチェット機構１８が幕１１の張力によって逆転しないようになっているから、そのまま手を離せば幕１１は適切な張力となり平面は緊張状態に保たれる。なお、取り外すには、幕１１を取り外す側において中央方向へ移動するようにラチェット機構１８を切り換え、同側の回転軸１５を回転可能とし、そのまま幕１１を中央方向へ引っ張れば良い。
【００２４】
上記のようにして張設されている本発明の両軸回転式幕張装置１０は、コンビニエンスストアの店舗３０などでは、軒先の天井（軒天）などに設置し、横断幕型の広告、宣伝装置として新商品の取り扱い開始や、キャンペーン実施期間中であることなどを、利用者に知らせることができる（図５参照）。また、上記キャンペーンの広告を展示中に、特別のセールを行うような場合には、次の表示部１２−２の側の回転軸１５を回転可能にするとともに、一方の側の回転軸１５を回転させて、キャンペーンの広告の表示部１２−１から次の表示部１２−２へ移動変化させるものとする。こうして、幕１１を交換しなくても、至極容易に幕１１の表示を移動させることで変化させることができ、脚立などの台を用いる作業も著しく少なくて済む。
【００２５】
また、店舗３０の軒天３１の高さが本装置１０を取り付けるには高過ぎるような場合、図６、図７の例３に示す如く、例えばスライドドア３５を取り付けた方立て３２を本装置１０の取り付け場所として利用することができる。この場合、取り付け部材３３として適切な形状のブラケットを用いて、本装置１０を取り付けるものであり、図７の例では、側面形状がコの字型の取り付け部材３３の上枠３３ａに両軸回転式幕張装置１０の基部１６を取り付け、下枠３３ｂには回転軸１５を取り付け、これを１セットとして少なくとも２セットを適切な間隔で方立て３２にボルト３４によって取り付けることができる。例３においても、取り付け部材３３を利用してあらかじめ２個の回転軸１５を取り付けて置くことができるので、本発明の装置１０を、取り付け部材３３を含むユニットとして取り扱うことが可能になり、図４の例２とともに取り付けの融通性を高めることができるものである。例３の各部における構成及び幕１１の展張方法は例１或いは例２と同様であるので、符号を援用し詳細な説明は繰り返さない。
【００２６】
上記図６及び図７に示した例３は図４の例２と組み合わせて実施することも可能であるので、その例を図８Ａに示す。このようにすると取り付け部材２７の長さの範囲においてどの位置にでも回転軸１５を配置することができる。但し、方立て３２などへの装置１０の取り付けに使用する取り付け部材３３′はコ字型とせず上部のみの逆Ｌ字型とし、回転軸の下端は例１と同様にフリーで良い。また、図８Ｂには、回転軸１５を鉄系金属によって形成し、これに所望の形態の磁石を用いて磁気吸着させることで幕１１の端部を挟んで止める例を示す。図８Ｂの例では、ゴムに磁気粉末を混入したシート状磁石３６を幕止め手段に使用し、鉄製回転軸１５に巻いた幕１１を、シート状磁石３６を複数個用いて止め着けるものである。磁石として、１本で幕１１の端部を抑え得る長さの棒状磁石３６′を用いると、幕１１の端部を不揃いにせずに抑えることができる。
【００２７】
本発明によれば、上記のように軒先や、軒天、方立て等の建造物の構造体、壁面その他任意の部位に両軸回転式幕張装置１０を取り付けることができる。本発明の装置１０は、本来、ラチェット機構１８を有する回転軸１５を少なくとも２組使用して、幕１１を任意の張力で張設することができるとともに、その幕１１に形成されている広告、宣伝等の表示部１２の任意の箇所を自由に選んで展示することができるものであり、この特徴は上記例２、例３の取り付け部材２７、３３と結合することによって、さらに実用性の高いものとなる。
【図面の簡単な説明】
【００２８】
【図１】本発明に係る両軸回転式幕張装置の例１を示すもので、Ａは幕の一部を省略した正面図、Ｂは表示を展張させた状態の正面図、Ｃは同じく展張させた状態の裏面図である。
【図２】同上の装置の要部を示す断面図である。
【図３】同上におけるラチェット機構を示す説明図である。
【図４】同じく本発明の装置の例２を説明する斜視図である。
【図５】同じく実施形態の一例を示す説明図である。
【図６】同じく本発明の装置の例３を説明する斜視図である。
【図７】同上の要部を示す斜視図である。
【図８】同じく本発明の装置の変形例を示すもので、Ａは例２と例３を併合した例、Ｂは磁石を利用した幕止め手段を示す斜視図である。
【符号の説明】
【００２９】
１０  両軸回転式幕張装置
１１  幕
１２  表示部
１３ａ、１３ｂ  巻き付け部分
１４  表示
１５  回転軸
１６  基部
１７  固定軸
１８  ラチェット機構
１９  ラチェット歯輪
２０  設置構造体
２１ａ、２１ｂ  ラッチ
２２  ばね
２３  位置決め部材
２４  操作レバー
２５  粗面
２６  操作ノブ
２７、３３、３３′  取利付け部材
２８  チャネル部
２９  止め板
３０  店舗
３１  軒天
３２  方立て
３４  ボルト
３５  スライドドア
３６、３６′  磁石
【図１】
2011053347.tif 000003
【図２】
2011053347.tif 000004
【図３】
2011053347.tif 000005
【図４】
2011053347.tif 000006
【図５】
2011053347.tif 000007
【図６】
2011053347.tif 000008
【図７】
2011053347.tif 000009
【図８】
2011053347.tif 000010